(57)【要約】【課題】電力ケーブルに作業用アースを安全に取り付けることができる作業用アース取付ケーブルを提供する。【解決手段】電力ケーブルを切断したのちに切断した電力ケーブルと接続するための接続ケーブル２と、接続ケーブル２に取り付けられた作業用アース取付箱１０とを具備する。作業用アース取付箱１０は、接続ケーブル２に取り付けられた導電性のアース取付端子１６と、アース取付端子１６を外部と絶縁状態で収納するためのアース取付端子収納箱と、アース取付端子収納箱に取り付けられたかつ作業用アース取付作業時にアースフックを接続ケーブル２に沿ってアース取付端子収納箱内に挿入してアース取付端子１６に接続するためのアースフック挿入筒１４と、作業用アース取付作業時にアースフック挿入筒１４から外されるキャップ１７とを備える。アースフック挿入筒１４は接近安全距離を確保できる長さとされている。【選択図】図１
2020137147.tif 000002
【特許請求の範囲】
【請求項１】
電力ケーブル（２０）に作業用アースを取り付けるための作業用アース取付ケーブル（１）であって、
前記電力ケーブルを切断したのちに該切断した電力ケーブルと接続するための接続ケーブル（２）と、
前記接続ケーブルに取り付けられた作業用アース取付箱（１０）とを具備し、
前記作業用アース取付箱が、
前記接続ケーブルに取り付けられた導電性のアース取付端子（１６）と、
前記アース取付端子を外部と絶縁状態で収納するためのアース取付端子収納箱と、
前記アース取付端子収納箱に取り付けられた、かつ、作業用アース取付作業時にアースフック（１１０）を前記接続ケーブルに沿って前記アース取付端子収納箱内に挿入して前記アース取付端子に接続するためのアースフック挿入筒（１４）と、
前記作業用アース取付作業時に前記アースフック挿入筒から外されるキャップ（１７）とを備え、
前記アースフック挿入筒が、接近安全距離を確保できる長さとされている、
ことを特徴とする、作業用アース取付ケーブル。
【請求項２】
前記アースフック挿入筒が、前記アース取付端子収納箱の側面の裏面寄りに取り付けられていることを特徴とする、請求項１記載の作業用アース取付ケーブル。
【請求項３】
前記作業用アース取付箱が、
前記アース取付端子収納箱として、蝶番（１３）によって開閉可能とされた上部箱体（１１）および下部箱体（１２）を備え、
前記上部箱体の左右側面および前記下部箱体の左右側面に、閉じられたときに前記接続ケーブルを貫通させるとともに挟持するための半円状の切欠きが設けられている、
ことを特徴とする、請求項１または２記載の作業用アース取付ケーブル。
【発明の詳細な説明】
【技術分野】
【０００１】
本発明は、密閉型の電力ケーブルに作業用アースを取り付けるのに好適な作業用アース取付ケーブルに関する。
【背景技術】
【０００２】
従来、引出口が電力ケーブル（送電線など）であるとともに変電所機器がガス複合開閉装置である場合には、線路側に作業用アースを取り付ける場所がなく、点検時に作業者に危険を及ぼす恐れがあった。
【０００３】
また、営業所の配電線（高圧電線）作業時に変電所のスイッチギアに営業所で電力ケーブルに乙アース（作業用アース）を取り付けなければならないなど非効率な業務運営を実施する必要が生じていた。
【０００４】
このような問題の解決手法として、下記の特許文献１には、工事を行う箇所で直接導体を接地できるようにして工事中の感電事故を確実に防止できるようにするために、電力ケーブル線路の途中に設けられて分岐接続体本体に前後２本の幹線ケーブルと分岐ケーブルとがオス型接続子とメス型接続子とを嵌合させた状態で接続される分岐接続部の分岐接続体本体とケーブル端末との間に接地線を接続可能な導体接地アダプタを設け、導体接地アダプタが分岐接続体本体の接続子と嵌合可能な第１の接続子とケーブル端末の接続子と嵌合可能な第２の接続子とを両端に有しており、それらの中間部に接地線の接続部を設けて、常時は接地線の接続部にキャップを被せておき、分岐接続部で工事を行う際にはキャップを外してそこに接地線を接続するようにした、電力ケーブル分岐接続部が開示されている。
【先行技術文献】
【特許文献】
【０００５】
【特許文献１】特開２０００−２９９９０８号公報
【発明の概要】
【発明が解決しようとする課題】
【０００６】
しかしながら、上記の特許文献１に開示された電力ケーブル分岐接続部では、キャップを外す際に充電していると作業者が感電する可能性があるため、活線作業となり、特別高圧以上の電力ケーブルへの作業用アース取付作業に使用することは難しいという問題がある。
【０００７】
また、ガス複合開閉装置の場合には、ケーブル終端箱（ケーブル端末）は圧力タンク内にあるため、ケーブル終端箱の電力ケーブル側（密閉型の電力ケーブル）に作業用アースを取り付けることができないという問題がある。
【０００８】
本発明の目的は、電力ケーブルに作業用アースを安全に取り付けることができる作業用アース取付ケーブルを提供することにある。
【課題を解決するための手段】
【０００９】
本発明の作業用アース取付ケーブルは、電力ケーブル（２０）に作業用アースを取り付けるための作業用アース取付ケーブル（１）であって、前記電力ケーブルを切断したのちに該切断した電力ケーブルと接続するための接続ケーブル（２）と、前記接続ケーブルに取り付けられた作業用アース取付箱（１０）とを具備し、前記作業用アース取付箱が、前記接続ケーブルに取り付けられた導電性のアース取付端子（１６）と、前記アース取付端子を外部と絶縁状態で収納するためのアース取付端子収納箱と、前記アース取付端子収納箱に取り付けられた、かつ、作業用アース取付作業時にアースフック（１１０）を前記接続ケーブルに沿って前記アース取付端子収納箱内に挿入して前記アース取付端子に接続するためのアースフック挿入筒（１４）と、前記作業用アース取付作業時に前記アースフック挿入筒から外されるキャップ（１７）とを備え、前記アースフック挿入筒が、接近安全距離を確保できる長さとされていることを特徴とする。
ここで、前記アースフック挿入筒が、前記アース取付端子収納箱の側面の裏面寄りに取り付けられていてもよい。
前記作業用アース取付箱が、前記アース取付端子収納箱として、蝶番（１３）によって開閉可能とされた上部箱体（１１）および下部箱体（１２）を備え、前記上部箱体の左右側面および前記下部箱体の左右側面に、閉じられたときに前記接続ケーブルを貫通させるとともに挟持するための半円状の切欠きが設けられていてもよい。
【発明の効果】
【００１０】
本発明の作業用アース取付ケーブルは、以下に示す効果を奏する。
（１）電力ケーブルを切断して既存のケーブル接続技術を用いて接続ケーブルと接続するだけで作業用アース取付箱を取り付けられるため、密閉型の電力ケーブルでも作業用アース取付箱を介して作業用アースを安全に取り付けることができる。
（２）作業用アース取付箱は接近安全距離を確保してアースフック挿入筒からキャップを外せる構造とされているため、特別高圧以上の電力ケーブルに作業用アースを安全に取り付けることができる。
（３）既存のケーブル接続技術を用いて電力ケーブルと接続ケーブルとを接続すればよいため、電力ケーブルと作業用アース取付ケーブルとを容易に接続することができる
（４）停電作業における検電・アース付作業においてアース付箇所を設けていないガス複合開閉装置や配電線ケーブルに作業用アース取付ケーブルを接続することにより、接近安全距離を確保して検電・アース付作業を安全に実施することができる。
【図面の簡単な説明】
【００１１】
【図１】本発明の一実施例による作業用アース取付ケーブル１の構成について説明するための図であり、（ａ）〜（ｃ）は作業用アース取付箱１の上面図、正面図および右側面図である。
【図２】図１に示した作業用アース取付箱１０の構成について説明するための図であり、（ａ）〜（ｄ）は作業用アース取付箱１０の上面図、左側面図、正面図および右側面図であり、（ｅ），（ｆ）はアース取付端子１６の正面図および右側面図である。
【図３】図１に示した作業用アース取付ケーブル１を製作する作業用アース取付ケーブル製作手順について説明するための図であり、（ａ）は手順１について説明するための正面図であり、（ｂ），（ｃ）は手順２，３について説明するための上面図である。
【図４】図１に示した作業用アース取付ケーブル１に電力ケーブル２０を接続する作業用アース取付ケーブル接続作業の手順について説明するための図であり、（ａ）〜（ｄ）は手順１〜４について説明するための上面図である。
【図５】図１に示した作業用アース取付ケーブル１を用いた作業用アース取付作業の手順について説明するための図であり、（ａ）〜（ｃ）は手順１〜３について説明するための上面図である。
【図６】アースフック１１０の構成を示す図である。
【発明を実施するための形態】
【００１２】
上記の目的を、接近安全距離を確保できる作業用アース取付箱を接続ケーブルに取り付けた構成とすることにより、電力ケーブルを切断して接続ケーブルと接続するだけで作業用アース取付箱を取り付けられるようにすることにより実現した。
【実施例１】
【００１３】
以下、本発明の作業用アース取付ケーブルの実施例について図面を参照して説明する。
なお、以下の説明では、電力ケーブル２０（図４（ａ）参照）は、１１０ｋＶ用のものであり、径が１０ｃｍ程度のものとする。
【００１４】
本発明の作業用アース取付ケーブルは、以下に示す特徴を有する。
（１）作業用アース取付ケーブルは、工場で製作し、現地で電力ケーブルと接続ケーブルとを既存のケーブル接続技術を用いて接続するだけで作業用アース取付箱を電力ケーブルに取り付けられる構造とされている。
（２）作業用アース取付箱は、キャップを外す際に作業者が感電する恐れがない接近安全距離を確保できる構造とされている。
（３）作業用アース取付箱は、作業用アースとして架空線用アースを使用できるアース取付端子を備える。
【００１５】
そのため、作業用アース取付作業には、架空線の接地器具として一般的に用いられているアースフックを使用する。
このようなアースフックは、たとえば図６に示すアースフック１１０のように、絶縁性の操作棒１１１と、操作棒１１１の先端部に取り付けられたヘッダ１１２と、ヘッダ１１２に取り付けられた開閉フック１１３と、一端が開閉フック１１３と電気的に接続されたアースリード線１１４とを備える。
開閉フック１１３は、同図に矢印で示すように、操作棒１１１を軸周回りに回転することにより開閉される。
開閉フック１１３を全開した状態でのアースフック１１０の幅ｄ（開閉フック１１３の先端部からアースリード線１１４の外側端面までの長さ）は、１５ｃｍ程度である。
【００１６】
また、本発明の一実施例による作業用アース取付ケーブル１は、図１（ａ）〜（ｃ）に示すように、接続ケーブル２と、接続ケーブル２に取り付けられた作業用アース取付箱１０とを具備する。
【００１７】
ここで、接続ケーブル２は、電力ケーブル２０を切断したのち、切断した電力ケーブル２０と接続するためのものである。
そのため、接続ケーブル２は、電力ケーブル２０と同様に、１１０ｋＶ用のもので、径が１０ｃｍ程度とされている。
接続ケーブル２は、左端部が作業用アース取付箱１０の左側面から突出するとともに、右端面が作業用アース取付箱１０のアースフック挿入筒１４の右端面よりも右側になる長さとされている。
接続ケーブル２の軸方向中央部よりも左側には、アース取付端子１６が取り付けられている。
【００１８】
作業用アース取付箱１０は、図２（ａ）〜（ｄ）に示すように、下面が開口面とされた矩形箱状の上部箱体１１と、上面が開口面とされた矩形箱状の下部箱体１２と、蝶番１３と、矩形筒状のアースフック挿入筒１４と、円板状の確認窓１５と、導電性のアース取付端子１６と、キャップ１７とを具備する。
【００１９】
上部箱体１１および下部箱体１２は、アース取付端子１６を外部と絶縁状態で収納するための開閉可能なアース取付端子収納箱としての機能と、接続ケーブル２を上下から挟んで保持する機能とを有するものである。
【００２０】
そのため、上部箱体１１および下部箱体１２は絶縁物（木など）で構成されており、蝶番１３が上部箱体１１の表面の下端中央部および下部箱体１２の表面の上端中央部に取り付けられているとともに、上部箱体１１および下部箱体１２をボルト締めして閉じるために上部箱体１１の表面、左側面、裏面および右側面の下端部と下部箱体１２の表面、左側面、裏面および右側面の上端部には複数個のボルト孔（不図示）を有するフランジが設けられている。
【００２１】
また、図２（ｂ），（ｄ）に示すように、上部箱体１１の左右側面の下端中央部および下部箱体１２の左右側面の上端中央部には、上部箱体１１および下部箱体１２を閉じたときに接続ケーブル貫通孔Ａを形成して接続ケーブル２を貫通させるとともに挟持するための半円状の切欠きが設けられている。
【００２２】
なお、アース取付端子収納箱内に収納されたアース取付端子１６の外部との絶縁状態をより確実にするために、上部箱体１１および下部箱体１２の接触部分（上部箱体１１のフランジの下面および下部箱体１２のフランジの上面）と上部箱体１１および下部箱体１２の電力ケーブル２０との接触部分（半円状の切欠き）にパッキン状の絶縁物（ゴムパッキンなど）を取り付けてもよい。
【００２３】
アースフック挿入筒１４は、作業用アース取付作業時にアースフック１１０を接続ケーブル２に沿って上部箱体１１内に挿入するためのものであり、上部箱体１１の右側面に対して垂直になるように左端部が上部箱体１１の右側面に取り付けられている。
アースフック挿入筒１４は、開口面が縦１０ｃｍ程度および横２０ｃｍ程度の横長矩形状のものであり、接近安全距離を確保するために長さ（軸方向の長さ）が１８０ｃｍ程度とされている。
アースフック挿入筒１４は、横寸法を小さくするように、図２（ｄ）に示すように上部箱体１１の右側面の上方の裏面寄り（上部箱体１１の右側面の縦中央線からずらして右斜め上方寄り）に取り付けられている。
【００２４】
確認窓１５は、アースフック１１０がアース取付端子１６に確実に取り付けられたことを確認できるようにするためのものであり、透明性の絶縁物（ガラスなど）で構成されているとともに、上部箱体１１の上面の中央部に取り付けられている。
【００２５】
アース取付端子１６は、アルミニウムなどの導電性金属で構成された正面視Ｔ字状のものであり、図２（ｅ），（ｆ）に示すように、円筒状の圧縮部１６ａと、圧縮部１６ａの上面の中央部に立設された丸棒状の取付部１６ｂとからなる。
【００２６】
キャップ１７は、絶縁物（ゴムなど）で構成されており、通常時にはアースフック挿入筒１４の右端面に取り付けられており、作業用アース取付作業時にはアースフック挿入筒１４から外される。
【００２７】
次に、作業用アース取付ケーブル１を製作する作業用アース取付ケーブル製作作業の手順について、図３（ａ）〜（ｃ）を参照して説明する。
なお、作業用アース取付ケーブル製作作業は工場で行われる。
【００２８】
（手順１）製作者は、接続ケーブル２の心線２ａをアース取付端子１６の圧縮部１６ａを貫通させたのち、油圧圧縮工具などを用いて圧縮部１６ａを閉じて、接続ケーブル２の軸方向中央部よりも左側にアース取付端子１６を取り付ける。
その後、製作者は、アース取付端子１６が取り付けられた心線２ａに被覆２ｂで覆っていく。
このとき、アース取付端子１６の取付部１６ｂの上端部が露出するようにする（以上、図３（ａ）参照）。
【００２９】
（手順２）製作者は、作業用アース取付箱１０の下部箱体１２を開くとともにキャップ１７をアースフック挿入筒１４に取り付けた状態で、上部箱体１１を接続ケーブル２に上方から被せる。
このとき、製作者は、確認窓１５から上部箱体１２内を覗いてアース取付端子１６が上部箱体１２の中央部に位置するようにする（図３（ｂ）参照）。
【００３０】
（手順３）製作者は、接続ケーブル２を作業用アース取付箱１０の接続ケーブル貫通孔Ａを貫通させて下部箱体１２を閉じたのち、内部の絶縁を確保するように上部箱体１１および下部箱体１２をボルト締めして、作業用アース取付箱１０を接続ケーブル２に取り付ける（図３（ｃ）参照）。
【００３１】
次に、作業用アース取付ケーブル１に電力ケーブル２０を接続する作業用アース取付ケーブル接続作業の手順について、図４（ａ）〜（ｄ）を参照して説明する。
なお、作業用アース取付ケーブル接続作業は、現地において停電作業で行われる。
【００３２】
（手順１）作業者は、右端部がガス複合開閉装置などに接続された電力ケーブル２０の作業用アース取付ケーブル１との接続部分を切断したのち、電力ケーブル２０の切断部分の被覆２０ｂを取り除いて心線２０ａを露出させる（図４（ａ）参照）。
【００３３】
（手順２）作業者は、作業用アース取付ケーブル１の接続ケーブル２の左右端部の被覆２ｂを取り除いて心線２ａを露出させる。
その後、作業者は、切断した電力ケーブル２０の間に作業用アース取付ケーブル１を位置させる（以上、図４（ｂ）参照）。
【００３４】
（手順３）作業者は、作業用アース取付ケーブル１の左側の電力ケーブル２０の心線２０ａおよび接続ケーブル２の左端部の心線２ａを円環状のスリーブ３１の左右端面からそれぞれ挿入したのち、油圧圧縮工具などを用いてスリーブ３１を閉じて、両者を接続する。
同様に、作業者は、作業用アース取付ケーブル１の右側の電力ケーブル２０の心線２０ａおよび接続ケーブル２の右端部の心線２ａを円環状の別のスリーブ３１の左右端面からそれぞれ挿入したのち、油圧圧縮工具などを用いてこのスリーブ３１を閉じて、両者を接続する（以上、図４（ｃ）参照）。
このように、この手順は既存のケーブル接続技術を用いて行うことができる。
【００３５】
（手順４）作業者は、たとえば絶縁材料をコーティングしたり絶縁テープを巻き付けたりすることにより、絶縁処理部材３２を用いて接続ケーブル２と電力ケーブル２０との接続部分の絶縁処理を行う（絶縁処理部材３２を断面で示した図４（ｄ）参照）。
【００３６】
次に、ガス複合開閉装置の点検時における作業用アース取付作業の手順について、図５（ａ）〜（ｃ）を参照して説明する。
（手順１）作業者は、キャップ１７をアースフック挿入筒１４から外す（図５（ａ）参照）。
このとき、作業者は、たとえ電力ケーブル２０が充電状態であっても、アースフック挿入筒１４によって接近安全距離を確保しながらキャップ１７を外すことができる。
【００３７】
（手順２）作業者は、開閉フック１１３を開くとともにアース取付端子１６側にしてアースフック１１０をアースフック挿入筒１４に挿入していく（図５（ｂ）参照）。
【００３８】
（手順３）作業者は、アースフック１１０の操作棒１１１を操作して、開閉フック１１３をアース取付端子１６の取付部１６ｂに引っ掛けたのち、開閉フック１１３を閉じて取付部１６ｂを挟持する（図５（ｃ）参照）。
このとき、作業者は、確認窓１５から上部箱体１２内を覗いて、アースフック１１０がアース取付端子１６に確実に取り付けられたことを確認する。
【００３９】
これにより、作業者は、アース取付端子１６および接続ケーブル２を介してアースフック１１０のアースリード線１１４と電力ケーブル２０の心線２０ａとを電気的に接続して、作業用アースを電力ケーブル２０に安全に取り付けることができる。
【００４０】
ガス複合開閉装置の点検が終了すると、作業者は、アースフック１１０の操作棒１１１を操作して、開閉フック１１３を開き、開閉フック１１３をアース取付端子１６の取付部１６ｂから取り外したのち、アースフック１１０をアースフック挿入筒１４から引き抜く。
その後、作業者は、キャップ１７をアースフック挿入筒１４に被せる。
【００４１】
以降、作業者は、ガス複合開閉装置の点検時などに同様の手順で作業用アース取付作業を行うことができる。
【００４２】
以上では、帯電した電気で感電しないようにするためのシースアースが内蔵されていない電力ケーブル２０について説明したが、シースアースが内蔵された電力ケーブルについては、接続ケーブル２としてシースアースが内蔵された接続ケーブルを用いて、切断した電力ケーブルと接続ケーブルとを接続する際に電力ケーブルのシースアースと接続ケーブルのシースアースとを接続したのちに絶縁処理を行うようにする。
なお、この作業も既存のケーブル接続技術を用いて行うことができる。
【符号の説明】
【００４３】
１  作業用アース取付ケーブル
２  接続ケーブル
２ａ  心線
２ｂ  被覆
１０  作業用アース取付箱
１１  上部箱体
１２  下部箱体
１３  蝶番
１４  アースフック挿入筒
１５  確認窓
１６  アース取付端子
１６ａ  圧縮部
１６ｂ  取付部
１７  キャップ
２０  電力ケーブル
２０ａ  心線
２０ｂ  被覆
３１  スリーブ
３２  絶縁処理部材
１１０  アースフック
１１１  操作棒
１１２  ヘッダ
１１３  開閉フック
１１４  アースリード線
Ａ  接続ケーブル貫通孔
ｄ  幅
【図１】
2020137147.tif 000003
【図２】
2020137147.tif 000004
【図３】
2020137147.tif 000005
【図４】
2020137147.tif 000006
【図５】
2020137147.tif 000007
【図６】
2020137147.tif 000008